(57)【要約】【課題】従来の携帯電話はボタン配置が画一的で、十字・決定（ファンクション）ボタンから、１・２・３・４・５・６・７・８・９・０・＊・＃各ボタンまでの距離に差があるため、文字入力から任意の文字に選択・決定まで、指の移動距離に長短があり、片手で文字入力する際には、安定して携帯電話を保持させ難かった。【解決手段】十字・決定（ファンクション）ボタンと、その周囲をぐるりと囲むように１・２・３・４・５・６・７・８・９・０・＊・＃ボタンを隣接して配置した。この事により文字入力から任意の文字に選択・決定を、隣接したボタン相互間で行なう事ができ、安定して携帯電話を保持しつつ、文字入力時の操作性が向上した。また、従来画一的だったボタン配置面のデザインにバリエーションを加える事ができる。  【選択図】  図１
0003116395.tif 000002
【実用新案登録請求の範囲】
【請求項１】
ボタン操作面に十字・決定（ファンクション）ボタンと、その周囲をぐるりと囲むように１・２・３・４・５・６・７・８・９・０・*・＃ボタンを隣接して配置した携帯電話。
【請求項２】
隣接して配置する事により、十字・決定（ファンクション）ボタンから１・２・３・４・５・６・７・８・９・０・*・＃各ボタン相互間の距離を短縮にした携帯電話。
【請求項３】
周囲をぐるりと囲むように配置する事により、十字・決定（ファンクション）ボタンから１・２・３・４・５・６・７・８・９・０・*・＃の各ボタン相互間の距離を均一にした携帯電話。
【請求項４】
着信やメールがあった時、周囲をぐるりと囲むように配置された１・２・３・４・５・６・７・８・９・０・*・＃ボタンが順次点灯し、光が周回しているように見える携帯電話。
【請求項５】
文字入力時、使用しない通話ボタン・通話終了ボタンを、下部に配置した携帯電話。
【請求項６】
そのボタン配置により、花を連想させる携帯電話。
【考案の詳細な説明】
【技術分野】
【０００１】
本考案は、文字入力時の操作性向上を図った携帯電話に関する。
【背景技術】
【０００２】
携帯電話は、ストレート型・折りたたみ型・ターン型・スライド型等あるが、どの型もボタン操作面上部に十字・決定（ファンクション）ボタン、中部に通話ボタン・通話終了ボタン、中部から下部にかけて１・２・３・４・５・６・７・８・９・０・*・＃ボタン、となっておりボタン配置が画一的であった。「DoCoMo総合パンフレット2005 VOL06」「 au総合カタログJUNE2005 06」「vodafone総合カタログ2005 6」「TU-KA総合カタログ2005 6」参照。                                         
【０００３】
文字入力を行なう際には、ボタン操作面の中部から下部に配置されている、１・２・３・４・５・６・７・８・９・０・*・＃の各ボタンを押し文字を入力後、ボタン操作面の上部の十字・決定（ファンクション）ボタンを押し任意の文字に選択・決定と、各携帯電話端末とも同様の文字入力操作となっていた。「各携帯電話端末取り扱い説明書」参照
【０００４】
、
携帯電話のボタン操作面は、上部の十字・決定（ファンクション）ボタンから、文字入力時使用しない通話ボタン・通話終了ボタン列、１・２・３ボタン列、４・５・６ボタン列、７・８・９ボタン列、*・０・＃ボタン列と、列によって距離が異なっており、１・２・３ボタン列から上部の十字・決定（ファンクション）ボタンまで距離は短いが、*・０・＃ボタン列から上部の十字・決定（ファンクション）ボタンまでの距離は、１・２・３ボタン列と比較すると距離は長くなっていた。
【非特許文献１】DoCoMo総合パンフレット2005 VOL06
【非特許文献２】au総合カタログJUNE2005 06
【非特許文献３】vodafone総合カタログ2005 6
【非特許文献４】TU-KA総合カタログ2005 6
【考案の開示】
【考案が解決しようとする課題】
【０００５】
ボタン操作面の十字・決定（ファンクション）ボタンと、１・２・３・４・５・６・７・８・９・０・*・＃各ボタンまで距離が異なっており、指の移動距離に長短があるため、手の小さな女性等が片手で文字入力を行なう際、安定して携帯電話を保持させ難かった。
【課題を解決するための手段】
【０００６】
ボタン操作面に十字・決定（ファンクション）ボタンと、その周囲をぐるりと囲むように１・２・３・４・５・６・７・８・９・０・*・＃の各ボタンを隣接して配置し、
文字入力時使用しない通話ボタン・通話終了ボタンを下部に配置した。
【考案の効果】
【０００７】
文字入力から任意の文字に選択・決定を、隣接するボタン相互間で行なえ、また各文字入力ボタンから決定（ファンクション）ボタンまで距離が均一なので、指の移動距離が減る事により、手の小さな女性等が片手で文字入力を行なう際、安定して携帯電話を保持し、文字入力できるようになった。
【考案を実施するための最良の形態】
【０００８】
図１はストレート型携帯電話の正面図である。ディスプレイ部４の下方に、十字・決定（ファンクション）ボタン５と、その周囲をぐるりと囲むように１・２・３・４・５・６・７・８・９・０・*・＃ボタン６を隣接して配置した。携帯電話本体１の下部に、通話ボタン７と通話終了ボタン８を配置した。
【産業上の利用可能性】
【０００９】
考案の効果の他に、十字・決定（ファンクション）ボタンと、１・２・３・４・５・６・７・８・９・０・*・＃ボタンの配置が花を連想させ、他機能ボタンの形・位置・色等を変更する事により、従来画一的だった携帯電話のボタン配置面のデザインに、さまざまなバリエーションを加える事ができる。
【図面の簡単な説明】
【００１０】
【図１】本考案のボタン操作面の正面図
【符号の説明】
【００１１】
１    携帯電話本体
２    アンテナ
３    フロントスピーカー部
４    ディスプレイ部
５    十字・決定（ファンクション）ボタン
６    １・２・３・４・５・６・７・８・９・*・０・＃各ボタン
７    通話ボタン
８    通話終了ボタン
９    マイク部
10    他機能ボタン
【図１】
0003116395.tif 000003
【手続補正書】
【提出日】平成17年9月9日(2005.9.9)
【手続補正１】
【補正対象書類名】実用新案登録請求の範囲
【補正対象項目名】全文
【補正方法】変更
【補正の内容】
【実用新案登録請求の範囲】
【請求項１】
ボタン操作面に十字・決定（ファンクション）ボタンと、その周囲をぐるりと囲むように１・２・３・４・５・６・７・８・９・０・*・＃ボタンを隣接して配置した携帯電話。
【請求項２】
隣接して配置する事により、十字・決定（ファンクション）ボタンから１・２・３・４・５・６・７・８・９・０・*・＃各ボタン相互間の距離を短縮した、請求項１記載の携帯電話。
【請求項３】
周囲をぐるりと囲むように配置する事により、十字・決定（ファンクション）ボタンから１・２・３・４・５・６・７・８・９・０・*・＃各ボタン相互間の距離を均一にした、請求項１記載の携帯電話。
【請求項４】
文字入力時使用しない、通話ボタン・通話終了ボタンをボタン操作面下部に配置する事により、親指でボタン押下し易いボタン操作面のスペースを増し、文文字入力時の操作性に主眼をおいた、請求項１記載の携帯電話。
【請求項５】
そのボタン配置が花を連想させる、請求項１記載の携帯電話。
【手続補正２】
【補正対象書類名】明細書
【補正対象項目名】０００５
【補正方法】変更
【補正の内容】
【０００５】
通常片手で文字入力を行なう際、親指でボタン操作面の各ボタンを押下するが、従来の携帯電話はボタン操作面の十字・決定（ファンクション）ボタンと１・２・３・４・５・６・７・８・９・０・*・＃各ボタンまで距離が異なっており、親指の移動距離に長短があるため、手の小さな女性等が片手で文字入力を行なう際、上部のボタンから下部のボタンを連続して押下する時等、安定して携帯電話を保持させ難かった。また文字入力時使用しない、通話ボタン・通話終了ボタンが、比較的押下し易いボタン操作面中部に配置されていた。
【手続補正３】
【補正対象書類名】明細書
【補正対象項目名】０００６
【補正方法】変更
【補正の内容】
【０００６】
文字入力の際の操作性に主眼をおき、文字入力時使用しない、通話ボタン・通話終了ボタンをボタン操作面下部の、親指でのボタン押下し難いスペースに配置した。従来携帯電話の通話ボタン・通話終了ボタンのあったボタン操作面中部から上部周辺のボタン配置を、親指でボタン操作し易い位置を中心に十字・決定（ファンクション）ボタンを置き、その周囲をぐるりと囲むように１・２・３・４・５・６・７・８・９・０・*・＃ボタンを隣接して配置した。その他クリアボタンやマナーボタン等の他機能ボタンは、色・形等を考慮しボタン操作面その他のスペースに配置した。
【手続補正４】
【補正対象書類名】明細書
【補正対象項目名】０００７
【補正方法】変更
【補正の内容】
【０００７】
通話ボタン・通話終了ボタンをボタン操作面下部に配置する事により、文字入力時使用頻度の高いボタンを親指でボタン押下し易いボタン操作面のスペースに配置した。文字入力は、ひらがな・英数・記号等を組み合わせ連続して１・２・３・４・５・６・７・８・９・０・*・＃ボタンを押下するが、文字入力最終に押下したボタンがいずれであっても、任意の文字に選択・決定を、隣接するボタン相互間で行なえ、また文字入力最終に押下したボタンがいずれであっても、決定（ファンクション）ボタンまでの距離が均一であるため、親指の移動距離も均一になり、手の小さな女性等が片手で文字入力を行なう際でも、安定して携帯電話を保持し、文字入力できるようになった。